(57)【要約】 【課題】可搬型記憶媒体に記憶されている医用画像データに対する所見レポートの作成及び参照の利便性を向上させる。【解決手段】画像サーバ４０において、メディアＭ（可搬型記憶媒体）にＤＩＣＯＭ画像データ（医用画像データ）と共に書き込まれたプログラムは、当該プログラムを読み込んだ汎用ＰＣ端末５０を次のような装置として機能させる。即ち、汎用ＰＣ端末５０は、メディアＭに記憶されたＤＩＣＯＭ画像データに基づいて、医用画像と当該医用画像に関する付帯情報を表示部に表示する。そして、汎用ＰＣ端末５０は、操作部からレポート入力情報と送信先入力情報とを受け付ける。そして、汎用ＰＣ端末５０は、レポート入力情報に基づいてメディアＭに記憶されたＤＩＣＯＭ画像データに対する所見レポートのファイルを生成し、送信先入力情報に基づき指定された自宅ＰＣ端末７０に当該ファイルを送信する。【選択図】図１
2010015500.tif 000002
【特許請求の範囲】
【請求項１】
可搬型記憶媒体に医用画像データと共に記憶されたプログラムであって、
コンピュータを、
前記可搬型記憶媒体に記憶されたデータを読み込む読込手段、
通信手段、
前記可搬型記憶媒体に記憶された医用画像データに基づいて、医用画像と当該医用画像に関する付帯情報を画面に表示させる第１制御手段、
操作部からの所見レポートの入力情報を受け付け、当該入力情報に基づいて、前記可搬型記憶媒体に記憶された医用画像データに対する所見レポートのファイルを生成する第２制御手段、
前記操作部からの所見レポートのファイルの送信先情報を受け付け、当該送信先情報に基づいて指定された前記コンピュータと通信可能な外部機器に、前記生成された所見レポートのファイルを、前記通信手段を介して送信する送信制御手段、
として機能させるためのプログラム。
【請求項２】
前記所見レポートのファイルとは、所定のレイアウトで媒体に表示される前記所見レポートのデータを格納したファイルである、
請求項１に記載のプログラム。
【請求項３】
前記第２制御手段は、
前記生成した所見レポートのファイルを記憶部に記憶させて管理し、
前記読込手段により前記可搬型記憶媒体に記憶された医用画像データが読み込まれた際、当該医用画像データに対する所見レポートのファイルが既に記憶部に記憶されているか否かを判定し、当該所見レポートのファイルが記憶されている場合、当該所見レポートのファイルを記憶部から読み出し、画面に表示させる、
請求項１又は２に記載のプログラム。
【請求項４】
前記第２制御手段は、
前記記憶部に記憶させた所見レポートのファイルのリストを生成し、当該リストに基づいて前記記憶部に記憶されている所見レポートのファイルを管理する、
請求項３に記載のプログラム。
【請求項５】
前記第２制御手段は、
前記記憶部に記憶させた所見レポートのファイルのファイル名に基づいて前記記憶部に記憶されている所見レポートのファイルを管理する、
請求項３に記載のプログラム。
【請求項６】
前記所見レポートのファイルは、ＰＤＦファイルである、
請求項１〜５の何れか一項に記載のプログラム。
【請求項７】
医用画像データを記憶する可搬型記憶媒体であって、
コンピュータを、
前記可搬型記憶媒体に記憶されたデータを読み込む読込手段、
通信手段、
前記可搬型記憶媒体に記憶された医用画像データに基づいて、医用画像と当該医用画像に関する付帯情報を画面に表示させる第１制御手段、
操作部からの所見レポートの入力情報を受け付け、当該入力情報に基づいて、前記可搬型記憶媒体に記憶された医用画像データに対する所見レポートのファイルを生成する第２制御手段、
前記操作部からの所見レポートのファイルの送信先情報を受け付け、当該送信先情報に基づいて指定された前記コンピュータと通信可能な外部機器に、前記生成された所見レポートのファイルを、前記通信手段を介して送信する送信制御手段、
として機能させるためのプログラムを前記医用画像データと共に記憶する可搬型記憶媒体。
【請求項８】
前記所見レポートのファイルとは、所定のレイアウトで媒体に表示される前記所見レポートのデータを格納したファイルである、
請求項７に記載の可搬型記憶媒体。
【請求項９】
前記第２制御手段は、
前記生成した所見レポートのファイルを記憶部に記憶させて管理し、
前記読込手段により前記可搬型記憶媒体に記憶された医用画像データが読み込まれた際、当該医用画像データに対する所見レポートのファイルが既に記憶部に記憶されているか否かを判定し、当該所見レポートのファイルが記憶されている場合、当該所見レポートのファイルを記憶部から読み出し、画面に表示させる、
請求項７又は８に記載の可搬型記憶媒体。
【請求項１０】
医用画像データを可搬型記憶媒体に書き込む書込制御手段を備える情報処理装置であって、
前記情報処理装置の書込制御手段は、
コンピュータを、
前記可搬型記憶媒体に記憶されたデータを読み込む読込手段、
通信手段、
前記可搬型記憶媒体に記憶された医用画像データに基づいて、医用画像と当該医用画像に関する付帯情報を画面に表示させる第１制御手段、
操作部からの所見レポートの入力情報を受け付け、当該入力情報に基づいて、前記可搬型記憶媒体に記憶された医用画像データに対する所見レポートのファイルを生成する第２制御手段、
前記操作部からの所見レポートのファイルの送信先情報を受け付け、当該送信先情報に基づいて指定された前記コンピュータと通信可能な外部機器に、前記生成された所見レポートのファイルを、前記通信手段を介して送信する送信制御手段、
として機能させるためのプログラムを前記医用画像データと共に可搬型記憶媒体に書き込む情報処理装置。
【請求項１１】
前記所見レポートのファイルとは、所定のレイアウトで媒体に表示される前記所見レポートのデータを格納したファイルである、
請求項１０に記載の情報処理装置。
【請求項１２】
前記第２制御手段は、
前記生成した所見レポートのファイルを記憶部に記憶させて管理し、
前記読込手段により前記可搬型記憶媒体に記憶された医用画像データが読み込まれた際、当該医用画像データに対する所見レポートのファイルが既に記憶部に記憶されているか否かを判定し、当該所見レポートのファイルが記憶されている場合、当該所見レポートのファイルを記憶部から読み出し、画面に表示させる、
請求項１０又は１１に記載の情報処理装置。
【発明の詳細な説明】
【技術分野】
【０００１】
本発明は、プログラム、可搬型記憶媒体及び情報処理装置に関する。
【背景技術】
【０００２】
近年、多くの医療機関において情報のデジタル化が図られている。例えば、ＣＲ（Computed Radiography）装置、ＣＴ（Computed Tomography）装置、ＭＲＩ（Magnetic Resonance Imaging）装置等の画像生成装置（モダリティ）は、撮影により得られた医用画像の画像データに付帯情報を付帯させて、ＤＩＣＯＭ（Digital Imaging and Communications in Medicine）規格に則ったＤＩＣＯＭ画像データ（医用画像データ）を生成する。
【０００３】
また、画像サーバは、モダリティにおいて生成されたＤＩＣＯＭ画像データを記憶管理する。画像サーバがＤＩＣＯＭ画像データを管理する技術として、例えば、付帯情報に含まれる検査情報（スタディ属性）、シリーズ情報（シリーズ属性）等に基づいた階層関係で、ＤＩＣＯＭ画像データを管理するものが提案されている（特許文献１参照）。
【０００４】
ところで、異なる医療施設（例えば、患者の紹介元の病院と、患者の紹介先の病院）で、同一患者に対して同じ検査を実施することは、モダリティの撮影による放射線被爆量や医療コスト等、様々な負担を患者に強いることになる。
【０００５】
このような多重検査を防ぐために、ＣＤ―Ｒ等のメディア（可搬型記憶媒体）を介して医用画像（ＤＩＣＯＭ画像データ）のデータ移送が行われている。例えば、患者の紹介元の病院において撮影が行われ、当該撮影により生成された医用画像（ＤＩＣＯＭ画像データ）がメディアに書き込まれる。そして、患者は、当該メディアを受け取り、紹介先の病院に持っていく。そして、紹介先の病院では、新たに、患者の撮影（検査）を行わずに、当該メディアに書き込まれたＤＩＣＯＭ画像データを参照して、患者の診断が行われる。
【０００６】
尚、これらのメディアには、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、ＤＩＣＯＭ画像データが書き込まれるため、異なる医療施設間や、異なるベンダのシステム間において、当該ＤＩＣＯＭ画像データのデータ移送、データ参照が可能になっている。
【特許文献１】特開２００２−１３３３９３号公報
【発明の開示】
【発明が解決しようとする課題】
【０００７】
ところで、医用画像の読影結果である所見レポートを作成するためには、別途レポートシステムが必要となる。そのため、紹介先の医療施設が当該レポートシステムを備えていない場合、医用画像を読影して所見レポートを作成することは困難であった。もしくは、手間がかかってしまった。
【０００８】
また、レポートシステムを備えた複数の医療施設において、メディアに格納された医用画像を読影する場合、各医療施設のレポートシステムのベンダの違い等から、各医療施設で作成される所見レポートのレイアウトが異なってしまい、これらの所見レポートを参照する患者、医師にとって不便であった。
【０００９】
本発明は、上述したような課題に鑑みて為されたものであり、その目的とするところは、可搬型記憶媒体に記憶されている医用画像データに対する所見レポートの作成及び参照の利便性を向上させることである。
【課題を解決するための手段】
【００１０】
上記の課題を解決するために、請求項１に記載の発明は、
可搬型記憶媒体に医用画像データと共に記憶されたプログラムであって、
コンピュータを、
前記可搬型記憶媒体に記憶されたデータを読み込む読込手段、
通信手段、
前記可搬型記憶媒体に記憶された医用画像データに基づいて、医用画像と当該医用画像に関する付帯情報を画面に表示させる第１制御手段、
操作部からの所見レポートの入力情報を受け付け、当該入力情報に基づいて、前記可搬型記憶媒体に記憶された医用画像データに対する所見レポートのファイルを生成する第２制御手段、
前記操作部からの所見レポートのファイルの送信先情報を受け付け、当該送信先情報に基づいて指定された前記コンピュータと通信可能な外部機器に、前記生成された所見レポートのファイルを、前記通信手段を介して送信する送信制御手段、
として機能させる。
【００１１】
請求項２に記載の発明は、請求項１に記載の発明において、
前記所見レポートのファイルとは、所定のレイアウトで媒体に表示される前記所見レポートのデータを格納したファイルである。
【００１２】
請求項３に記載の発明は、請求項１又は２に記載の発明において、
前記第２制御手段は、
前記生成した所見レポートのファイルを記憶部に記憶させて管理し、
前記読込手段により前記可搬型記憶媒体に記憶された医用画像データが読み込まれた際、当該医用画像データに対する所見レポートのファイルが既に記憶部に記憶されているか否かを判定し、当該所見レポートのファイルが記憶されている場合、当該所見レポートのファイルを記憶部から読み出し、画面に表示させる。
【００１３】
請求項４に記載の発明は、請求項３に記載の発明において、
前記第２制御手段は、
前記記憶部に記憶させた所見レポートのファイルのリストを生成し、当該リストに基づいて前記記憶部に記憶されている所見レポートのファイルを管理する。
【００１４】
請求項５に記載の発明は、請求項３に記載の発明において、
前記第２制御手段は、
前記記憶部に記憶させた所見レポートのファイルのファイル名に基づいて前記記憶部に記憶されている所見レポートのファイルを管理する。
【００１５】
請求項６に記載の発明は、請求項１〜５の何れか一項に記載の発明において、
前記所見レポートのファイルは、ＰＤＦファイルである。
【００１６】
請求項７に記載の発明は、
医用画像データを記憶する可搬型記憶媒体であって、
コンピュータを、
前記可搬型記憶媒体に記憶されたデータを読み込む読込手段、
通信手段、
前記可搬型記憶媒体に記憶された医用画像データに基づいて、医用画像と当該医用画像に関する付帯情報を画面に表示させる第１制御手段、
操作部からの所見レポートの入力情報を受け付け、当該入力情報に基づいて、前記可搬型記憶媒体に記憶された医用画像データに対する所見レポートのファイルを生成する第２制御手段、
前記操作部からの所見レポートのファイルの送信先情報を受け付け、当該送信先情報に基づいて指定された前記コンピュータと通信可能な外部機器に、前記生成された所見レポートのファイルを、前記通信手段を介して送信する送信制御手段、
として機能させるためのプログラムを前記医用画像データと共に記憶する。
【００１７】
請求項８に記載の発明は、請求項７に記載の発明において、
前記所見レポートのファイルとは、所定のレイアウトで媒体に表示される前記所見レポートのデータを格納したファイルである。
【００１８】
請求項９に記載の発明は、請求項７又は８に記載の発明において、
前記第２制御手段は、
前記生成した所見レポートのファイルを記憶部に記憶させて管理し、
前記読込手段により前記可搬型記憶媒体に記憶された医用画像データが読み込まれた際、当該医用画像データに対する所見レポートのファイルが既に記憶部に記憶されているか否かを判定し、当該所見レポートのファイルが記憶されている場合、当該所見レポートのファイルを記憶部から読み出し、画面に表示させる。
【００１９】
請求項１０に記載の発明は、
医用画像データを可搬型記憶媒体に書き込む書込制御手段を備える情報処理装置であって、
前記情報処理装置の書込制御手段は、
コンピュータを、
前記可搬型記憶媒体に記憶されたデータを読み込む読込手段、
通信手段、
前記可搬型記憶媒体に記憶された医用画像データに基づいて、医用画像と当該医用画像に関する付帯情報を画面に表示させる第１制御手段、
操作部からの所見レポートの入力情報を受け付け、当該入力情報に基づいて、前記可搬型記憶媒体に記憶された医用画像データに対する所見レポートのファイルを生成する第２制御手段、
前記操作部からの所見レポートのファイルの送信先情報を受け付け、当該送信先情報に基づいて指定された前記コンピュータと通信可能な外部機器に、前記生成された所見レポートのファイルを、前記通信手段を介して送信する送信制御手段、
として機能させるためのプログラムを前記医用画像データと共に可搬型記憶媒体に書き込む。
【００２０】
請求項１１に記載の発明は、請求項１０に記載の発明において、
前記所見レポートのファイルとは、所定のレイアウトで媒体に表示される前記所見レポートのデータを格納したファイルである。
【００２１】
請求項１２に記載の発明は、請求項１０又は１１に記載の発明において、
前記第２制御手段は、
前記生成した所見レポートのファイルを記憶部に記憶させて管理し、
前記読込手段により前記可搬型記憶媒体に記憶された医用画像データが読み込まれた際、当該医用画像データに対する所見レポートのファイルが既に記憶部に記憶されているか否かを判定し、当該所見レポートのファイルが記憶されている場合、当該所見レポートのファイルを記憶部から読み出し、画面に表示させる。
【発明の効果】
【００２２】
請求項１、７、１０に記載の発明によれば、コンピュータは、医用画像データと本発明に係るプログラムを記憶している可搬型記憶媒体を読み込むと、前記医用画像データに基づいて、医用画像と付帯情報を画面に表示させ、操作部からの所見レポートの入力情報を受け付け、当該入力情報に基づいて、前記医用画像データに対する所見レポートのファイルを生成する。そして、コンピュータは、前記操作部からの所見レポートのファイルの送信先情報を受け付け、当該送信先情報に基づいて指定された外部機器に、前記生成した所見レポートのファイルを送信する。
【００２３】
そのため、可搬型記憶媒体に記憶されている医用画像データに対する所見レポートの作成及び参照の利便性を向上させることができる。また、紹介先の医療施設がレポートシステムを備えていない場合でも、医用画像を読影して所見レポートを作成することができる。更に、所見レポートのファイルの送信先を患者の携帯電話端末や自宅ＰＣ端末に指定することにより、患者は、自分の医用画像に対する所見レポートを容易に参照することができる。
【００２４】
請求項２、８、１１に記載の発明によれば、前記所見レポートのファイルとは、所定のレイアウトで媒体に表示される前記所見レポートのデータを格納したファイルである。そのため、患者及び医師は、各医療施設において生成された所見レポートを、同一のレイアウトで参照することができる。
【００２５】
請求項３、９、１２に記載の発明によれば、前記コンピュータは、可搬型記憶媒体から医用画像データが読み込まれた際、当該医用画像データに対する所見レポートのファイルが既に記憶部に記憶されているか否かを判定する。そして、所見レポートのファイルが記憶されている場合、当該所見レポートのファイルを記憶部から読み出し、画面に表示させる。そのため、コンピュータが同一の可搬型記憶媒体を読み込んだ場合、ユーザは、その旨を知ることができる。更に、ユーザは、以前作成した所見レポートを閲覧することができる。
【００２６】
請求項４に記載の発明によれば、前記コンピュータは、前記記憶部に記憶させた所見レポートのファイルのリストを生成し、当該ファイルのリストに基づいて、前記記憶部に記憶されている所見レポートのファイルを管理する。そのため、前記コンピュータは、容易に所見レポートのファイルが記憶部に記憶されているか否かの判定を行うことができる。
【００２７】
請求項５に記載の発明によれば、前記コンピュータは、前記記憶部に記憶させた所見レポートのファイルのファイル名に基づいて、前記記憶部に記憶されている所見レポートのファイルを管理する。そのため、前記コンピュータは、容易に所見レポートのファイルが記憶部に記憶されているか否かの判定を行うことができる。
【００２８】
請求項６に記載の発明によれば、ＰＤＦファイルを媒体に表示することができる。
【発明を実施するための最良の形態】
【００２９】
以下、図面を参照して本発明の一実施形態について説明する。
【００３０】
[医用画像システムのシステム構成]
図１に、医用画像システム１のシステム構成を示す。図１に示すように、医用画像システム１は、Ａ病院内医用画像システム１００と、Ｂ病院内医用画像システム２００と、携帯電話端末６０と、自宅ＰＣ端末７０とから構成されている。
【００３１】
Ａ病院内医用画像システム１００は、Ａ病院内における医用画像システムである。Ａ病院内医用画像システム１００は、ＲＩＳ（Radiological Information System：放射線情報システム）１０と、モダリティ２０と、画像ビューワ端末３０と、画像サーバ４０と、図示しないその他の装置とから構成されており、各装置はＬＡＮ（Local Area Network）等の通信ネットワークＮ１を介してデータ通信可能に接続されている。
【００３２】
ＲＩＳ１０は、Ａ病院の放射線科部門内における診療予約、診断結果のレポート、実績管理、材料在庫管理等の情報管理を行う。ＲＩＳ１０は、図示しない電子カルテシステムから受信した撮影オーダ情報をモダリティ２０及び画像サーバ４０に送信する。
【００３３】
モダリティ２０は、ＲＩＳ１０から受信した撮影オーダ情報に従って、患者を撮影し、医用画像の画像データを生成する撮影装置である。また、モダリティ２０は、前記撮影オーダ情報に基づいて、前記画像データに関する付帯情報を生成する。そして、モダリティ２０は、前記画像データ（以下、画像実データと称す。）に当該付帯情報を付帯させて、ＤＩＣＯＭ規格に則ったＤＩＣＯＭ画像データ（医用画像データ）を生成し、画像サーバ４０に送信する。モダリティ２０としては、ＣＲ装置、ＣＴ装置、ＭＲＩ装置等、様々な種類の医用画像を撮影する撮影装置が適用可能である。
【００３４】
図２に、モダリティ２０が生成するＤＩＣＯＭ画像データのデータ構成を示す。前述したように、ＤＩＣＯＭ画像データは、付帯情報と画像実データとから構成される。また、付帯情報は、患者情報、検査情報、シリーズ情報及び画像情報を含む。
【００３５】
患者情報は、患者ＩＤ、患者名、生年月日、性別等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００３６】
また、１人の患者に対して１又は複数の検査が関連付けられる。そのため、患者情報と検査情報との間には、１対１、又は１対複数の関連がある。また、１検査に対して１又は複数のシリーズが関連付けられる。そのため、検査情報とシリーズ情報との間には、１対１、又は１対複数の関連がある。また、１シリーズに対して１又は複数の医用画像が関連付けられる。そのため、シリーズ情報と画像情報との間には、１対１、又は１対複数の関連がある。
【００３７】
以下、医用画像１枚に対応するＤＩＣＯＭ画像データをＤＩＣＯＭ画像データオブジェクトと称す。また、説明の便宜上、ＤＩＣＯＭ画像データオブジェクトや当該ＤＩＣＯＭ画像データオブジェクトに含まれる画像実データを単にＤＩＣＯＭ画像と称すことがある。
【００３８】
図１に戻り、画像サーバ４０は、モダリティ２０において生成されたＤＩＣＯＭ画像データ等を記憶し、管理する（記憶管理する）情報処理装置である。画像サーバ４０は、外部機器からＤＩＣＯＭ画像データ取得要求を受信した場合、当該取得要求に応じたＤＩＣＯＭ画像データを当該外部機器に送信する。また、画像サーバ４０は、外部機器から付帯情報取得要求を受信した場合、当該取得要求に応じた、ＤＩＣＯＭ画像データに含まれる付帯情報を当該外部機器に送信する。
【００３９】
また、画像サーバ４０は、ＩＨＥおよびＩＨＥ−ＪのＰＤＩによって定められたデータ構造に則って、ＣＤ−ＲやＤＶＤ−Ｒ等のメディアＭ（可搬型記憶媒体）にＤＩＣＯＭ画像データ等を書き込む（ＥＸＰＯＲＴする）。また、画像サーバ４０は、当該ＤＩＣＯＭ画像データと共に、ＰＤＩビューワプログラム４５１、所見レポート作成プログラム４５２等をメディアＭに書き込む。所見レポート作成プログラム４５２については後述する。
【００４０】
画像ビューワ端末３０は、高精細モニタを有し、当該高精細モニタにＤＩＣＯＭ画像を表示する端末である。画像ビューワ端末３０は、読影医等によるユーザ操作に基づき、画像サーバ４０にＤＩＣＯＭ画像データ取得要求を送信し、当該取得要求に応じたＤＩＣＯＭ画像データを取得する。そして、当該ＤＩＣＯＭ画像データに基づきモニタに医用画像（ＤＩＣＯＭ画像）を表示する。
【００４１】
また、画像ビューワ端末３０は、読影医等によるユーザ操作に基づき、読影結果である所見レポートを作成し、当該所見レポートのファイルを画像サーバ４０や図示しないレポート管理サーバに送信する。そして、画像サーバ４０や図示しないレポート管理サーバは、送信された所見レポートのファイルを記憶し管理する。
【００４２】
Ｂ病院内医用画像システム２００は、Ｂ病院内における医用画像システムである。Ｂ病院内医用画像システム２００は、汎用ＰＣ端末５０と、図示しないその他の装置とから構成されており、各装置はＬＡＮ（Local Area Network）等の通信ネットワークＮ２を介してデータ通信可能に接続されている。また、通信ネットワークＮ２は、図示しないルータ等の通信機器を介してインターネット網等の通信ネットワークＮ３と通信可能となっている。
【００４３】
汎用ＰＣ端末５０は、通常の汎用ＰＣを用いることができ、メディアＭから各種データを読み出す。汎用ＰＣ端末５０は、Ａ病院内医用画像システム１００の画像サーバ４０において書き込まれたＤＩＣＯＭ画像データ、ＰＤＩビューワプログラム４５１、所見レポート作成プログラム４５２等をメディアＭから読み出し、所見レポートＰＤＦファイルの生成等を行う。所見レポートＰＤＦファイルについては後述する。
【００４４】
また、汎用ＰＣ端末５０は、電子メール機能を有する。ここで、電子メール機能とは、通信ネットワークＮ３に接続された端末同士で、通信ネットワークＮ３に接続された図示しないメールサーバを介して、電子メールの送受信を行う機能をいう。
【００４５】
携帯電話端末６０は、通常の携帯電話を用いることができ、通信ネットワークＮ３を介して外部装置と通信可能となっている。また、携帯電話端末６０は電子メール機能を有する。
【００４６】
自宅ＰＣ端末７０は、患者の自宅に設置されており、通常の汎用ＰＣ端末を用いることができる。自宅ＰＣ端末７０は、通信ネットワークＮ３を介して外部機器と通信可能となっている。また、自宅ＰＣ端末７０は電子メール機能を有する。
【００４７】
[画像サーバの機能的構成]
図３に、画像サーバ４０の機能的構成を示す。図３に示すように、画像サーバ４０は、制御部４１、操作部４２、表示部４３、通信部４４、記憶部４５、メディアドライブ４６を備えて構成され、各部はバス４７により接続されている。
【００４８】
制御部４１は、ＣＰＵ（Central Processing Unit）、ＲＡＭ（Random Access Memory）等から構成され、画像サーバ４０の各部の処理動作を統括的に制御する。具体的には、ＣＰＵは、操作部４２から入力される操作信号又は通信部４４により受信される指示信号に応じて、記憶部４５に記憶されている各種処理プログラムを読み出し、ＲＡＭ内に形成されたワークエリアに展開し、当該プログラムとの協働により各種処理を行う。
【００４９】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００５０】
表示部４３は、ＬＣＤ（Liquid Crystal Display）により構成され、制御部４１から入力される表示データに基づいて各種画面を表示する。
【００５１】
通信部４４は、ＬＡＮ（Local Area Network）アダプタ、ルータ、ＴＡ（Terminal Adapter）等を備え、通信ネットワークＮ１を介して接続されたＲＩＳ１０、モダリティ２０、画像ビューワ端末３０等の外部機器との間でデータの送受信を行う。
【００５２】
記憶部４５は、ハードディスク等から構成され、制御プログラム、当該プログラムの実行に必要なパラメータやファイル等を記憶している。また、記憶部４５は、モダリティ２０により生成されたＤＩＣＯＭ画像データ（１又は複数のＤＩＣＯＭ画像データオブジェクト）を記憶する。また、記憶部４５は、ＰＤＩビューワプログラム４５１、所見レポート作成プログラム４５２を記憶する。また、記憶部４５は、ＤＩＣＯＭ画像データを管理するデータベースプログラムを記憶する（図示せず）。
【００５３】
メディアドライブ４６は、制御部４１からの制御信号に基づき、メディアＭに各種データを書き込む。また、メディアドライブ４６は、制御部４１からの制御信号に基づき、メディアＭに記憶されているデータを読み出す。
【００５４】
制御部４１は、操作部４２からの操作信号等に基づいて、ＤＩＣＯＭ画像データ（１又は複数のＤＩＣＯＭ画像データオブジェクト）を選択し、当該選択したＤＩＣＯＭ画像データ、ＰＤＩビューワプログラム４５１、所見レポート作成プログラム４５２を記憶部４５から読み出し、メディアドライブ４６を介してメディアＭに書き込む。
【００５５】
図４に、このメディアＭが記憶するデータを示す。メディアＭは、ＤＩＣＯＭ画像データ（１又は複数のＤＩＣＯＭ画像データオブジェクト群）と、ＰＤＩビューワプログラム４５１と、所見レポート作成プログラム４５２とを記憶する。
【００５６】
ここで、ＰＤＩビューワプログラム４５１とは、当該プログラムを読み込むコンピュータに対して、メディアＭに記憶されているＤＩＣＯＭ画像データ（１又は複数のＤＩＣＯＭ画像データオブジェクト群）に基づいて、ＤＩＣＯＭ画像（医用画像）と当該ＤＩＣＯＭ画像に関する付帯情報を画面に表示させるためのプログラムである。
【００５７】
所見レポート作成プログラム４５２とは、当該プログラムを読み込むコンピュータを、以下のように機能させるためのプログラムである。即ち、このコンピュータは、操作部からの所見レポートの入力情報を受け付け、当該入力情報に基づいて、メディアＭに記憶されているＤＩＣＯＭ画像データ（１又は複数のＤＩＣＯＭ画像データオブジェクト群）に対する所見レポートのファイル（例えば、ＰＤＦファイル）を生成する。また、このコンピュータは、操作部からの所見レポートのファイルの送信先情報（送信先入力情報）を受け付け、この送信先情報に基づいて指定された前記コンピュータと通信可能な外部機器に、前記生成された所見レポートのファイルを送信する。
【００５８】
図３に戻り、制御部４１は、記憶部４５に記憶されたデータベースプログラムと協働して、記憶部４５に記憶されているＤＩＣＯＭ画像データ（１又は複数のＤＩＣＯＭ画像データオブジェクト群）を管理する。
【００５９】
制御部４１は、通信部４４を介して、外部機器からＤＩＣＯＭ画像データを受信すると、当該ＤＩＣＯＭ画像データを記憶部４５に記憶させ、データベースに登録する（管理する）。
【００６０】
制御部４１は、通信部４４を介して、外部機器からＤＩＣＯＭ画像データ取得要求を受信すると、当該ＤＩＣＯＭ画像データ取得要求に応じたＤＩＣＯＭ画像データオブジェクトを記憶部４５から読み出す。そして、制御部４１は、通信部４４を介して、当該読み出したＤＩＣＯＭ画像データオブジェクトを外部機器に送信（提供）する。
【００６１】
また、制御部４１は、通信部４４を介して、外部機器から付帯情報取得要求を受信すると、当該付帯情報取得要求に応じた、ＤＩＣＯＭ画像データオブジェクトに含まれる付帯情報を記憶部４５から読み出す。そして、制御部４１は、通信部４４を介して、当該読み出した付帯情報を外部機器に送信（提供）する。
【００６２】
[汎用ＰＣ端末の機能的構成]
図５に、汎用ＰＣ端末５０の機能的構成を示す。図５に示すように、汎用ＰＣ端末５０は、制御部５１、操作部５２、表示部５３、通信部５４、記憶部５５、メディアドライブ５６を備えて構成され、各部はバス５７により接続されている。
【００６３】
制御部５１は、ＣＰＵ、ＲＡＭ等から構成され、汎用ＰＣ端末５０の各部の処理動作を統括的に制御する。具体的には、ＣＰＵは、操作部５２から入力される操作信号又は通信部５４により受信される指示信号に応じて、記憶部５５に記憶されている各種処理プログラムを読み出し、ＲＡＭ内に形成されたワークエリアに展開し、当該プログラムとの協働により各種処理を行う。
【００６４】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【００６５】
表示部５３は、ＬＣＤ（Liquid Crystal Display）により構成され、制御部５１から入力される表示データに基づいて各種画面を表示する。
【００６６】
通信部５４は、ＬＡＮ（Local Area Network）アダプタ、ルータ、ＴＡ（Terminal Adapter）等を備え、通信ネットワークＮ２を介して接続されたＢ病院内医用画像システム２００内の外部機器や、通信ネットワークＮ２、Ｎ３を介して接続された携帯電話端末６０、自宅ＰＣ端末７０等の外部機器との間でデータの送受信を行う。
【００６７】
記憶部５５は、ハードディスク等から構成され、制御プログラム、当該プログラムの実行に必要なパラメータやファイル等を記憶している。また、記憶部５５は、１又は複数の所見レポートＰＤＦファイル、読影済検査リスト５５１を記憶する。
【００６８】
所見レポートＰＤＦファイルは、制御部５１と所見レポート作成プログラム４５２との協働により生成される所見レポートのファイルである。この所見レポートＰＤＦファイルは、ＰＤＦ形式のデータファイル（ＰＤＦファイル）である。
【００６９】
読影済検査リスト５５１は、制御部５１と所見レポート作成プログラム４５２との協働により生成される、記憶部５５に記憶されている所見レポートのファイルのリストである。読影済検査リスト５５１は、項目「検査インスタンスＵＩＤ」、「所見レポートＰＤＦファイル名」を持つ１又は複数のレコードから構成される。尚、これらの項目の他に「受付番号」を加えてもよい。また、「検査インスタンスＵＩＤ」に代えて「受付番号」としてもよい。
【００７０】
メディアドライブ５６は、制御部５１からの制御信号に基づき、メディアＭに各種データを書き込む。また、メディアドライブ５６は、制御部５１からの制御信号に基づき、メディアＭに記憶されているデータを読み出す。
【００７１】
制御部５１は、メディアドライブ５６を介して、メディアＭからＤＩＣＯＭ画像データ（１又は複数のＤＩＣＯＭ画像データオブジェクト群）、ＰＤＩビューワプログラム４５１、所見レポート作成プログラム４５２を読み込む。
【００７２】
そして、制御部５１は、ＰＤＩビューワプログラム４５１と協働で、メディアＭに記憶されているＤＩＣＯＭ画像データ（１又は複数のＤＩＣＯＭ画像データオブジェクト群）に基づく、ＤＩＣＯＭ画像（医用画像）と当該ＤＩＣＯＭ画像に関する付帯情報とを表示部５３に表示させる。
【００７３】
また、制御部５１は、所見レポート作成プログラム４５２と協働で、表示部５３にレポート入力画面５３１（図９参照）を表示させ、操作部５２からの所見レポートの入力情報を受け付け、当該入力情報に基づいて、メディアＭに記憶されているＤＩＣＯＭ画像データ（１又は複数のＤＩＣＯＭ画像データオブジェクト群）に対する所見レポートのファイル（所見レポートＰＤＦファイル）を生成する。そして、制御部５１は、生成した所見レポートＰＤＦファイルを記憶部５５に保存し、読影済検査リスト５５１を更新する。読影済検査リスト５５１の更新については後述する。
【００７４】
また、制御部５１は、操作部５２からの所見レポートのファイルの送信先情報（送信先入力情報）を受け付け、この送信先情報に基づいて、指定された外部機器に、前記生成された所見レポートのファイルを送信する。
【００７５】
[メディアにデータを書き込む場合の画像サーバの具体的な動作]
次に、メディアＭに、ＤＩＣＯＭ画像データ、ＰＤＩビューワプログラム４５１及び所見レポート作成プログラム４５２を書き込む場合に、画像サーバ４０が実行する処理の具体的な動作について、図６を用いて説明する。尚、ここでは、Ａ病院で検査（撮影）された患者が、Ａ病院からＢ病院に紹介される場合を想定している。
【００７６】
まず、メディアドライブ４６に、ブランクディスクのメディアＭがセットされると、画像サーバ４０の制御部４１は、メディアＭがセットされたことを検知する。そして、制御部４１は、表示部４３に、メディアＭに書き込むＤＩＣＯＭ画像データオブジェクトを選択させる画面であるＤＩＣＯＭ画像データ選択画面（図示せず）を表示させる。そして、制御部４１は、操作部４２からの操作信号に基づいて、メディアＭに書き込むＤＩＣＯＭ画像データオブジェクトを選択する（ステップＳ１）。
【００７７】
そして、制御部４１は、ステップＳ１において選択した１又は複数のＤＩＣＯＭ画像データオブジェクトと、ＰＤＩビューワプログラム４５１と、所見レポート作成プログラム４５２とを記憶部４５から読み出して、メディアドライブ４６を介してメディアＭに書き込む（ステップＳ３）。以上で処理が終了する。
【００７８】
[メディアを読み込んだ汎用ＰＣ端末の具体的な動作]
次に、メディアＭから、画像サーバ４０において書き込まれたデータ（ＤＩＣＯＭ画像データ、ＰＤＩビューワプログラム４５１、所見レポート作成プログラム４５２）を読み込んだ場合に、汎用ＰＣ端末５０が実行する処理の具体的な動作について図７を用いて説明する。尚、ステップＳ１０４〜Ｓ１１３の処理は、制御部５１と所見レポート作成プログラム４５２との協働で行われる。
【００７９】
まず、メディアドライブ５６に、画像サーバ４０においてデータが書き込まれたメディアＭがセットされると、汎用ＰＣ端末５０の制御部５１は、メディアＭがセットされたことを検知する。そして、制御部５１は、メディアドライブ５６を介して、メディアＭからＤＩＣＯＭ画像データオブジェクト群と、ＰＤＩビューワプログラム４５１と、所見レポート作成プログラム４５２とを読み出し、記憶部５５に一時記憶させる（ステップＳ１０１）。尚、メディアＭに記憶された各種データを記憶部５５に一時記憶させず、制御部５１が、必要に応じてメディアＭから各種データを直接読み込み、ＲＡＭに展開する構成としてもよい。
【００８０】
そして、制御部５１は、ＰＤＩビューワプログラム４５１と所見レポート作成プログラム４５２を記憶部５５から読み出す。つまり、制御部５１は、ＰＤＩビューワプログラム４５１と所見レポート作成プログラム４５２とを起動する（ステップＳ１０２）。
【００８１】
そして、制御部５１は、ＰＤＩビューワプログラム４５１と協働して、メディアＭに記憶されているＤＩＣＯＭ画像データ（１又は複数のＤＩＣＯＭ画像データオブジェクト群）に基づく、ＤＩＣＯＭ画像（医用画像）と当該ＤＩＣＯＭ画像に関する付帯情報とを表示部５３に表示させる（ステップＳ１０３）。
【００８２】
そして、制御部５１は、所見レポート作成プログラム４５２と協働して、メディアＭに記憶されているＤＩＣＯＭ画像データの検査インスタンスＵＩＤを読み出す。そして、制御部５１は、読影済検査リスト５５１に同じ値の検査インスタンスＵＩＤを持つレコードがあるか検索する。つまり、メディアＭに記憶されているＤＩＣＯＭ画像データの検査インスタンスＵＩＤと、読影済検査リスト５５１の項目「検査インスタンスＵＩＤ」とを比較する（ステップＳ１０４）。
【００８３】
尚、比較する項目としては、「検査インスタンスＵＩＤ」に代わって「受付番号」、又は「検査インスタンスＵＩＤ」と「受付番号」の組み合わせとしてもよい。
【００８４】
ステップＳ１０４における検索の結果、同じ値を持つレコードがある場合、制御部５１は、メディアＭに記憶されているＤＩＣＯＭ画像データは既に読影済（所見レポート作成済）であると判定する（ステップＳ１０５；ＹＥＳ）。また、検索の結果、同じ値を持つレコードが無い場合、制御部５１は、メディアＭに記憶されているＤＩＣＯＭ画像データは未読影（所見レポート未作成）であると判定する（ステップＳ１０５；ＮＯ）。
【００８５】
メディアＭに記憶されているＤＩＣＯＭ画像データが、既に読影済の場合（ステップＳ１０５；ＹＥＳ）、制御部５１は、読影済検査リスト５５１の該当するレコードの項目「所見レポートＰＤＦファイル名」と同名の所見レポートＰＤＦファイルを記憶部５５から読み出し、当該所見レポートＰＤＦファイルに基づき、図１０に示すような所定のレイアウトで所見レポートを表示部５３に表示させる（ステップＳ１１３）。以上で処理が終了する。
【００８６】
一方、メディアＭに記憶されているＤＩＣＯＭ画像データが、未読影の場合（ステップＳ１０５；ＮＯ）、制御部５１は、当該ＤＩＣＯＭ画像データに基づいて、レポート入力画面５３１（図９参照）を表示部５３に表示させる（ステップＳ１０６）。
【００８７】
図９に示すように、レポート入力画面５３１は、送信ボタンｂ１、送信先入力欄ｅ１、所見入力欄ｅ２等から構成される。送信先入力欄ｅ１は、所見レポートＰＤＦファイルの送信先の入力欄である。所見入力欄ｅ２は、所見レポートの入力欄である。また、送信ボタンｂ１は、所見入力欄ｅ２に入力された所見レポートの情報（レポート入力情報）を、送信先入力欄ｅ１に入力された送信先の情報（送信先入力情報）に基づいて指定された送信先に送信するためのボタンである。ここで、送信先入力情報としては、外部機器のＩＰアドレスや、電子メールのアドレス等が挙げられる。
【００８８】
ユーザは、表示部５３に表示されているＤＩＣＯＭ画像や付帯情報を参照して、レポート入力画面５３１の所見入力欄ｅ２に所見レポートの情報を入力する。また、ユーザは、レポート入力画面５３１の送信先入力欄ｅ１に所見レポートＰＤＦファイルの送信先の情報を入力する。そして、ユーザは、送信ボタンｂ１を押下する。
【００８９】
図７に戻り、送信ボタンｂ１が押下されると、制御部５１は、レポート入力情報とＤＩＣＯＭ画像データとに基づいて、所見レポートＰＤＦファイルを生成する（ステップＳ１０７）。当該所見レポートＰＤＦファイルには、ＤＩＣＯＭ画像（医用画像）、又はＤＩＣＯＭ画像に基づく簡易画像（解像度の低い医用画像）が含まれる。
【００９０】
そして、制御部５１は、生成した所見レポートＰＤＦファイルを記憶部５５に保存する（ステップＳ１０８）。また、制御部５１は、送信先入力情報に基づいて、所見レポートＰＤＦファイルの送信先を指定する（ステップＳ１０９）。所見レポートＰＤＦファイルの送信先としては、例えば、携帯電話端末６０や自宅ＰＣ端末７０が挙げられる。ここでは、所見レポートＰＤＦファイルの送信先として、自宅ＰＣ端末７０が指定されたとする。
【００９１】
そして、制御部５１は、指定した送信先である自宅ＰＣ端末７０に、所見レポートＰＤＦファイルを送信する（ステップＳ１１０）。
【００９２】
尚、所見レポートＰＤＦファイルの送信方法としては、送信元と送信先の端末にそれぞれ備えられている電子メール機能を利用する方法、電子メール機能を使用せず通信ネットワークＮ３を介して直接所見レポートＰＤＦファイルを送信する方法、通信ネットワークＮ３を介さずに直接所見レポートＰＤＦファイルを送信する方法（例えば、通信ケーブルで機器同士を接続する方法や赤外線通信）等がある。これらの方法に応じて、送信先入力欄ｅ１に入力される送信先入力情報を種類（電子メールのアドレス、ＩＰアドレス等）が決まる。
【００９３】
そして、制御部５１は、読影済検査リスト５５１を更新する（ステップＳ１１１）。具体的に、制御部５１は、読影対象となったＤＩＣＯＭ画像データの検査インスタンスＵＩＤを項目「検査インスタンスＵＩＤ」、生成した所見レポートＰＤＦファイルのファイル名を項目「所見レポートＰＤＦファイル名」とするレコードを読影済検査リスト５５１に追加する。
【００９４】
そして、制御部５１は、生成した所見レポートＰＤＦファイルに基づき、表示部５３に図１０に示すような所定のレイアウトで所見レポートを表示させる（ステップＳ１１２）。以上で処理が終了する。
【００９５】
尚、本フローチャート（図７）のステップＳ１０４、Ｓ１０５における、メディアＭに記憶されているＤＩＣＯＭ画像データが読影済か否かの判定において、制御部５１は、読影済検査リスト５５１を参照した。しかし、所見レポートＰＤＦファイルのファイル名を読影対象となった医用画像データの検査インスタンスＵＩＤとし、制御部５１は、当該読影済検査リスト５５１の代わりに、当該ファイル名を参照してもよい。つまり、メディアＭのＤＩＣＯＭ画像データの検査インスタンスＵＩＤと所見レポートＰＤＦファイルのファイル名とを比較してもよい。
【００９６】
また、本フローチャート（図７）のステップＳ１１３において、制御部５１は、既に読影済のＤＩＣＯＭ画像データに対する所見レポートを自動で表示部５３に表示するとしたが、メディアＭに記憶されている医用画像データが読影済である旨の警告のみを表示する構成としてもよい。この場合、読影済検査リスト５５１の項目は、「検査インスタンスＵＩＤ」のみでよい。
【００９７】
[自宅ＰＣ端末の具体的な動作]
次に、汎用ＰＣ端末５０において生成された所見レポートＰＤＦファイルを受信した場合に、自宅ＰＣ端末７０が実行する処理の具体的な動作について図８を用いて説明する。
【００９８】
まず、自宅ＰＣ端末７０は、電子メール機能等を利用して、汎用ＰＣ端末５０において生成された所見レポートＰＤＦファイルを受信する（ステップＳ２０１）。
【００９９】
そして、自宅ＰＣ端末７０は、ユーザ操作による操作部からの操作信号等の指示命令により、受信した所見レポートＰＤＦファイルに基づいて、図１０に示すような所定のレイアウトで所見レポートを表示部に表示する（ステップＳ２０２）。以上で処理が終了する。そして、患者は、自宅において、当該表示部に表示された所見レポートを参照する。
【０１００】
[所見レポートのレイアウト]
図１０に、汎用ＰＣ端末５０の制御部５１と所見レポート作成プログラム４５２とが協働して生成する所見レポートＰＤＦファイルに基づいて表示される所見レポートのレイアウトを示す。
【０１０１】
図１０に示すように、当該所見レポートには、読影対象となった医用画像、又は当該医用画像に基づく簡易画像が表示される。
【０１０２】
以上、本実施の形態によれば、画像サーバ４０において、メディアＭにＤＩＣＯＭ画像データ（医用画像データ）と共に書き込まれたＰＤＩビューワプログラム４５１、所見レポート作成プログラム４５２は、当該プログラムを読み込んだ汎用ＰＣ端末５０を次のような装置として機能させる。即ち、汎用ＰＣ端末５０は、メディアＭに記憶されたＤＩＣＯＭ画像データに基づいて、医用画像と当該医用画像に関する付帯情報を表示部５３に表示する。そして、汎用ＰＣ端末５０は、操作部５２からの所見レポートの入力情報（レポート入力情報）を受け付け、この入力情報に基づいて、メディアＭに記憶されたＤＩＣＯＭ画像データに対する所見レポートのファイル（所見レポートＰＤＦファイル）を生成する。そして、汎用ＰＣ端末５０は、操作部５２からの所見レポートのファイルの送信先情報（送信先入力情報）を受け付け、当該送信先情報に基づいて指定された外部機器に、前記生成した所見レポートのファイルを送信する。
【０１０３】
そのため、可搬型記憶媒体（メディアＭ）に記憶されている医用画像データ（ＤＩＣＯＭ画像データ）に対する所見レポートの作成及び参照の利便性を向上させることができる。また、Ｂ病院内医用画像システム２００がレポートシステムを備えていない場合でも、医用画像を読影して所見レポートを作成することができる。更に、所見レポートのファイルの送信先を患者の携帯電話端末６０や自宅ＰＣ端末７０に指定することにより、患者は、自分の医用画像に対する所見レポートを容易に参照することができる。
【０１０４】
また、汎用ＰＣ端末５０が生成する所見レポートのファイルは、図１０に示すような所定のレイアウトで表示部５３や自宅ＰＣ端末７０の表示部等の媒体に表示される所見レポートのデータを格納したファイルである。そのため、患者及び医師は、同一のレイアウトで所見レポートを参照することができる。
【０１０５】
また、前記メディアＭを読み込んだ汎用ＰＣ端末５０は、メディアＭからＤＩＣＯＭ画像データが読み込まれた際、当該ＤＩＣＯＭ画像データに対する所見レポートＰＤＦファイルが既に記憶部５５に記憶されているか否かを判定する。そして、所見レポートＰＤＦファイルが記憶されている場合、その旨の警告を表示部５３に表示する。そのため、汎用ＰＣ端末５０が同一のメディアＭを読み込んだ場合、ユーザは、その旨を知ることができる。
【０１０６】
また、汎用ＰＣ端末５０は、前記警告を表示する代わりに、当該所見レポートＰＤＦファイルを記憶部５５から読み出し、表示部５３に表示する。そのため、汎用ＰＣ端末５０が同一のメディアＭを読み込んだ場合、ユーザは、以前作成した所見レポートを閲覧することができる。
【０１０７】
また、汎用ＰＣ端末５０は、メディアＭに格納されているＤＩＣＯＭ画像データに基づいて、レポート入力画面５３１を表示し、所見レポートＰＤＦファイルを生成するので、メディアＭに格納された医用画像の撮影対象である患者の患者名、依頼元の病院名等を手入力する必要はない。
【０１０８】
尚、本実施の形態において、汎用ＰＣ端末５０の制御部５１と所見レポート作成プログラム４５２とが協働して生成する所見レポートのファイルは、ＰＤＦファイルに限定されず、所定のレイアウトで表示、印刷出力できるファイルならば、どの種類のファイルでもよい。例えば、ＷＯＲＤファイル、ＤＩＣＯＭ ＳＲ形式のファイル、ＨＬ７ ＣＤＡ形式のファイル等が所見レポートのファイルとして適用可能である。ここで、ＤＩＣＯＭ ＳＲ形式のファイル、ＨＬ７ ＣＤＡ形式のファイルは、ＰＤＦファイル等に変更して所定のレイアウトで表示することが可能である。
【０１０９】
尚、本実施の形態における記述は、本発明に係る医用画像システムの一例であり、これに限定されるものではない。システムを構成する各装置の細部構成及び細部動作に関しても適宜変更可能である。
【０１１０】
例えば、本実施の形態において、ＤＩＣＯＭ画像データオブジェクト、ＰＤＩビューワプログラム４５１、所見レポート作成プログラム４５２等をメディアＭに書き込む機能を、画像サーバ４０に持たせる構成としたが、当該機能をモダリティ２０に持たせる構成としてもよい。
【０１１１】
また、本実施の形態では、プログラムを格納したコンピュータ読み取り可能な媒体としてハードディスクや可搬型記憶媒体を使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１１２】
【図１】本発明における医用画像システムのシステム構成図である。
【図２】ＤＩＣＯＭ画像データのデータ構成図である。
【図３】画像サーバのブロック図である。
【図４】メディアに記憶されているデータのデータ構成図である。
【図５】汎用ＰＣ端末のブロック図である。
【図６】画像サーバにおいて実行される処理を示すフローチャートである。
【図７】汎用ＰＣ端末において実行される処理を示すフローチャートである。
【図８】自宅ＰＣ端末において実行される処理を示すフローチャートである。
【図９】レポート入力画面の画面例である。
【図１０】所見レポートのレイアウト例である。
【符号の説明】
【０１１３】
１        医用画像システム
１０      ＲＩＳ
２０      モダリティ
３０      画像ビューワ端末
４０      画像サーバ
４１      制御部
４２      操作部
４３      表示部
４４      通信部
４５      記憶部
４６      メディアドライブ
４７      バス
５０      汎用ＰＣ端末
５１      制御部
５２      操作部
５３      表示部
５４      通信部
５５      記憶部
５６      メディアドライブ
５７      バス
６０      携帯電話端末
７０      自宅ＰＣ端末
１００    Ａ病院内医用画像システム
２００    Ｂ病院内医用画像システム
４５１    ＰＤＩビューワプログラム
４５２    所見レポート作成プログラム
５３１    レポート入力画面
５５１    読影済検査リスト
ｂ１      送信ボタン
ｅ１      送信先入力欄
ｅ２      所見入力欄
Ｍ        メディア
Ｎ１      通信ネットワーク
Ｎ２      通信ネットワーク
Ｎ３      通信ネットワーク
【図１】
2010015500.tif 000003
【図２】
2010015500.tif 000004
【図３】
2010015500.tif 000005
【図４】
2010015500.tif 000006
【図５】
2010015500.tif 000007
【図６】
2010015500.tif 000008
【図７】
2010015500.tif 000009
【図８】
2010015500.tif 000010
【図９】
2010015500.tif 000011
【図１０】
2010015500.tif 000012